(57)【要約】【課題】実在する店舗での決済において消費者の利便性を高めることのできる決済システム、および、決済方法を提供する。【解決手段】決済システムは、ＥＣサイトを提供するＥＣサイトサーバ１０と、実在する店舗にて販売される対象のうちの購入対象に関する情報をＥＣサイトサーバ１０に送信する第１の送信端末２０と、購入対象を購入する人物に対応するＥＣサイトの会員の識別情報をＥＣサイトサーバ１０に送信する第２の送信端末４０とを備える。ＥＣサイトサーバ１０は、ＥＣサイトの会員がＥＣサイトを通じて商品を購入する際に用いられる決済手段に関する情報を、会員の識別情報と対応付けて記憶し、第１の送信端末２０から受信した購入対象に関する情報と、第２の送信端末４０から受信した会員の識別情報と対応付けられている決済手段に関する情報とに基づいて決済処理を行って、決済処理の結果を店舗内に位置する受信端末３０に通知する。【選択図】図１
2015122009.tif 000002
【特許請求の範囲】
【請求項１】
実在する店舗にて販売される対象の決済に用いられる決済システムであって、
ＥＣサイトを提供するＥＣサイトサーバと、
前記ＥＣサイトサーバとネットワークを介して接続され、前記販売される対象のうちの購入対象に関する情報を前記ＥＣサイトサーバに送信する第１の送信端末と、
前記ＥＣサイトサーバとネットワークを介して接続され、前記購入対象を購入する人物に対応する前記ＥＣサイトの会員の識別情報を前記ＥＣサイトサーバに送信する第２の送信端末と、を備え、
前記ＥＣサイトサーバは、
前記ＥＣサイトの会員が前記ＥＣサイトを通じて商品を購入する際に用いられる決済手段に関する情報を、前記会員の識別情報と対応付けて記憶する記憶部と、
前記第１の送信端末から受信した前記購入対象に関する情報と、前記第２の送信端末から受信した前記会員の識別情報と前記記憶部にて対応付けられている前記決済手段に関する情報とに基づいて決済処理を行って、前記決済処理の結果を前記店舗内に位置する受信端末に通知する制御部と、を備える
決済システム。
【請求項２】
前記購入対象に対応付けられているタグからタグ情報を読み取る情報取得端末を備え、
前記情報取得端末は、前記タグから読み取ったタグ情報に基づいて前記購入対象を特定し、
前記第１の送信端末は、前記情報取得端末にて特定された前記購入対象に関する情報を前記ＥＣサイトサーバに送信する
請求項１に記載の決済システム。
【請求項３】
前記情報取得端末とネットワークを介して接続される中継端末が、前記第１の送信端末として機能し、
前記情報取得端末は、前記タグ情報に基づいて特定された前記購入対象に関する情報を前記中継端末に送信し、
前記中継端末は、前記情報取得端末から受信した前記購入対象に関する情報を前記ＥＣサイトサーバに送信する
請求項２に記載の決済システム。
【請求項４】
前記購入対象を購入する人物の所持する携帯端末が、前記第２の送信端末として機能し、
前記情報取得端末が、前記受信端末として機能し、
前記携帯端末は、前記情報取得端末から前記ＥＣサイトサーバのアクセス先に関する情報を取得し、前記アクセス先に関する情報を用いて前記ＥＣサイトサーバにアクセスすることに基づいて、前記会員の識別情報を前記ＥＣサイトサーバに送信し、
前記ＥＣサイトサーバは、前記決済処理の結果を前記中継端末を介して前記情報取得端末に通知する
請求項３に記載の決済システム。
【請求項５】
前記購入対象を購入する人物の所持する携帯端末が、前記第１の送信端末、前記第２の送信端末、および、前記受信端末として機能し、
前記携帯端末は、前記情報取得端末にて特定された前記購入対象に関する情報と前記ＥＣサイトサーバのアクセス先に関する情報とを前記情報取得端末から取得し、前記アクセス先に関する情報を用いて前記ＥＣサイトサーバにアクセスすることに基づいて、前記購入対象に関する情報と前記会員の識別情報とを前記ＥＣサイトサーバに送信し、
前記ＥＣサイトサーバは、前記決済処理の結果を前記携帯端末に通知する
請求項２に記載の決済システム。
【請求項６】
前記第１の送信端末は、前記購入対象に関する情報とともに、前記ＥＣサイトから前記店舗に対して発行された証明書を前記ＥＣサイトサーバに送信し、
前記ＥＣサイトサーバの前記制御部は、前記第１の送信端末から受信した前記証明書の正当性が確認されたとき、前記決済処理を進める
請求項１〜５のいずれか一項に記載の決済システム。
【請求項７】
ＥＣサイトを提供するＥＣサイトサーバと、前記ＥＣサイトサーバとネットワークを介して接続される第１の送信端末および第２の送信端末と、を用いて行われる決済方法であって、
前記第１の送信端末が、実在する店舗にて販売される対象のうちの購入対象に関する情報を前記ＥＣサイトサーバに送信するステップと、
前記第２の送信端末が、前記購入対象を購入する人物に対応する前記ＥＣサイトの会員の識別情報を前記ＥＣサイトサーバに送信するステップと、
前記ＥＣサイトサーバが、前記第１の送信端末から受信した前記購入対象に関する情報と、前記ＥＣサイトの会員が前記ＥＣサイトを通じて商品を購入する際に用いられる決済手段に関する情報として前記会員の識別情報と対応付けて前記ＥＣサイトサーバに記憶されている情報のうち、前記第２の送信端末から受信した前記会員の識別情報と対応付けられている前記決済手段に関する情報とに基づいて決済処理を行うステップと、
前記ＥＣサイトサーバが、前記決済処理の結果を前記店舗内に位置する受信端末に通知するステップと、を含む
決済方法。
【発明の詳細な説明】
【技術分野】
【０００１】
本開示の技術は、実在する店舗での決済に用いられる決済システム、および、決済方法に関する。
【背景技術】
【０００２】
実在する店舗において消費者が商品やサービスを購入するとき、商品やサービスの代金の決済には、現金やクレジットカードが利用されている（例えば、特許文献１参照）。一方、近年では、ＥＣサイト（Ｅｌｅｃｔｒｏｎｉｃ  Ｃｏｍｍｅｒｃｅ  Ｓｉｔｅ）の普及に伴い、インターネット等のネットワークを通じて消費者が商品やサービスを購入する機会が増加している。
【０００３】
通常、ＥＣサイトを提供するサーバには、ＥＣサイトの会員となった消費者のクレジットカード情報が登録されている。そして、会員である消費者がＥＣサイトで商品やサービスを購入するとき、商品やサービスの代金の決済には、サーバに登録されているクレジットカード情報が利用されている（例えば、特許文献２参照）。
【先行技術文献】
【特許文献】
【０００４】
【特許文献１】特開平８−３２９１４４号公報
【特許文献２】特開２０１３−１５８８１号公報
【発明の概要】
【発明が解決しようとする課題】
【０００５】
実在する店舗での商品等の購入には、ＥＣサイトでの商品等の購入と比較して、消費者が商品等の実物を確認してから、商品等を購入できるという利点がある。一方、実在する店舗での決済は、消費者による現金あるいはクレジットカード等の現金に代わる決済手段の所持が購入機会ごとに必要であるため、予め登録されている情報を利用することができるＥＣサイトでの決済と比較して、利便性が低い。
【０００６】
本開示の技術は、実在する店舗での決済において消費者の利便性を高めることのできる決済システム、および、決済方法を提供することを目的とする。
【課題を解決するための手段】
【０００７】
上記課題を解決するための決済システムは、実在する店舗にて販売される対象の決済に用いられる決済システムであって、ＥＣサイトを提供するＥＣサイトサーバと、前記ＥＣサイトサーバとネットワークを介して接続され、前記販売される対象のうちの購入対象に関する情報を前記ＥＣサイトサーバに送信する第１の送信端末と、前記ＥＣサイトサーバとネットワークを介して接続され、前記購入対象を購入する人物に対応する前記ＥＣサイトの会員の識別情報を前記ＥＣサイトサーバに送信する第２の送信端末と、を備える。そして、前記ＥＣサイトサーバは、前記ＥＣサイトの会員が前記ＥＣサイトを通じて商品を購入する際に用いられる決済手段に関する情報を、前記会員の識別情報と対応付けて記憶する記憶部と、前記第１の送信端末から受信した前記購入対象に関する情報と、前記第２の送信端末から受信した前記会員の識別情報と前記記憶部にて対応付けられている前記決済手段に関する情報とに基づいて決済処理を行って、前記決済処理の結果を前記店舗内に位置する受信端末に通知する制御部と、を備える。
【０００８】
上記課題を解決するための決済方法は、ＥＣサイトを提供するＥＣサイトサーバと、前記ＥＣサイトサーバとネットワークを介して接続される第１の送信端末および第２の送信端末と、を用いて行われる決済方法であって、前記第１の送信端末が、実在する店舗にて販売される対象のうちの購入対象に関する情報を前記ＥＣサイトサーバに送信するステップと、前記第２の送信端末が、前記購入対象を購入する人物に対応する前記ＥＣサイトの会員の識別情報を前記ＥＣサイトサーバに送信するステップと、前記ＥＣサイトサーバが、前記第１の送信端末から受信した前記購入対象に関する情報と、前記ＥＣサイトの会員が前記ＥＣサイトを通じて商品を購入する際に用いられる決済手段に関する情報として前記会員の識別情報と対応付けて前記ＥＣサイトサーバに記憶されている情報のうち、前記第２の送信端末から受信した前記会員の識別情報と対応付けられている前記決済手段に関する情報とに基づいて決済処理を行うステップと、前記ＥＣサイトサーバが、前記決済処理の結果を前記店舗内に位置する受信端末に通知するステップと、を含む。
【０００９】
上記システムおよび方法によれば、消費者が実在する店舗にて商品やサービスを購入するときに、ＥＣサイトサーバに記憶されている決済手段に関する情報が用いられて、決済処理が行われ、その結果が、店舗内に位置する端末に通知される。この決済手段は、実在する店舗にて購入対象を購入する人物がＥＣサイトの会員としてＥＣサイトを通じて商品を購入する際に用いられる決済手段である。したがって、予めＥＣサイトサーバに登録されている情報が有効に活用され、現金やクレジットカード等を所持せずとも、消費者が実在する店舗にて商品やサービスを購入することが可能となるため、実在する店舗での決済において消費者の利便性を高めることができる。
【００１０】
上記決済システムは、前記購入対象に対応付けられているタグからタグ情報を読み取る情報取得端末を備え、前記情報取得端末は、前記タグから読み取ったタグ情報に基づいて前記購入対象を特定し、前記第１の送信端末は、前記情報取得端末にて特定された前記購入対象に関する情報を前記ＥＣサイトサーバに送信することが好ましい。
【００１１】
上記構成によれば、購入対象に対応付けられているタグから情報取得端末が読み取ったタグ情報に基づいて、購入対象が特定される。したがって、購入対象の特定が円滑に行われる。
【００１２】
上記決済システムにおいて、前記情報取得端末とネットワークを介して接続される中継端末が、前記第１の送信端末として機能し、前記情報取得端末は、前記タグ情報に基づいて特定された前記購入対象に関する情報を前記中継端末に送信し、前記中継端末は、前記情報取得端末から受信した前記購入対象に関する情報を前記ＥＣサイトサーバに送信してもよい。
【００１３】
上記構成によれば、情報取得端末およびＥＣサイトサーバのそれぞれとネットワークを介して接続される中継端末が、情報取得端末とＥＣサイトサーバとの間で情報を中継する。したがって、情報の受け渡しが円滑に行われる。
【００１４】
上記決済システムにおいて、前記購入対象を購入する人物の所持する携帯端末が、前記第２の送信端末として機能し、前記情報取得端末が、前記受信端末として機能し、前記携帯端末は、前記情報取得端末から前記ＥＣサイトサーバのアクセス先に関する情報を取得し、前記アクセス先に関する情報を用いて前記ＥＣサイトサーバにアクセスすることに基づいて、前記会員の識別情報を前記ＥＣサイトサーバに送信し、前記ＥＣサイトサーバは、前記決済処理の結果を前記中継端末を介して前記情報取得端末に通知してもよい。
【００１５】
上記構成によれば、第１の送信端末としての機能と、第２の送信端末としての機能とが互いに異なる端末によって実現されるため、これらの端末の機能が同一の端末によって実現される場合と比較して、機能の分散による端末の構成の簡素化と、１つの端末あたりの通信量の削減が図られる。
【００１６】
上記決済システムにおいて、前記購入対象を購入する人物の所持する携帯端末が、前記第１の送信端末、前記第２の送信端末、および、前記受信端末として機能し、前記携帯端末は、前記情報取得端末にて特定された前記購入対象に関する情報と前記ＥＣサイトサーバのアクセス先に関する情報とを前記情報取得端末から取得し、前記アクセス先に関する情報を用いて前記ＥＣサイトサーバにアクセスすることに基づいて、前記購入対象に関する情報と前記会員の識別情報とを前記ＥＣサイトサーバに送信し、前記ＥＣサイトサーバは、前記決済処理の結果を前記携帯端末に通知してもよい。
【００１７】
上記構成によれば、購入対象を購入する人物の所持する携帯端末が、第１の送信端末、第２の送信端末、および、受信端末としての機能を担うため、これらの端末の機能が各別の端末によって実現される場合と比較して、決済システムに必要な端末を削減することができる。
【００１８】
上記決済システムにおいて、前記第１の送信端末は、前記購入対象に関する情報とともに、前記ＥＣサイトから前記店舗に対して発行された証明書を前記ＥＣサイトサーバに送信し、前記ＥＣサイトサーバの前記制御部は、前記第１の送信端末から受信した前記証明書の正当性が確認されたとき、前記決済処理を進めることが好ましい。
【００１９】
上記構成によれば、決済処理が進められる際に、証明書の正当性の確認が行われるため、決済処理の信頼性を高めることができる。
【発明の効果】
【００２０】
本開示の技術によれば、実在する店舗での決済において消費者の利便性が高まる。
【図面の簡単な説明】
【００２１】
【図１】本開示の技術における第１の実施形態の決済システムの構成を示すシステム構成図である。
【図２】第１の実施形態でのＥＣサイトサーバ、中継端末、および、レジ端末の構成を示すブロック図である。
【図３】第１の実施形態の決済システムによる決済の手順を示すシーケンス図である。
【図４】第１の実施形態の決済システムによる決済の手順を示すシーケンス図である。
【図５】第１の実施形態の決済システムによる決済の手順を示すシーケンス図である。
【図６】（ａ）〜（ｇ）は、第１の実施形態の決済システムを利用して行われる商品の購入の手順を、レジ端末および携帯端末での画面の推移を中心に示す図である。
【図７】本開示の技術における第２の実施形態の決済システムの構成を示すシステム構成図である。
【図８】第２の実施形態でのＥＣサイトサーバおよびレジ端末の構成を示すブロック図である。
【図９】第２の実施形態の決済システムによる決済の手順を示すシーケンス図である。
【図１０】（ａ）〜（ｇ）は、第２の実施形態の決済システムを利用して行われる商品の購入の手順を、レジ端末および携帯端末での画面の推移を中心に示す図である。
【発明を実施するための形態】
【００２２】
（第１の実施形態）
図１〜図６を参照して、決済システムおよび決済方法の第１の実施形態について説明する。なお、以下では、例として、ＥＣサイトの会員である消費者が、実在する店舗で商品を購入する場合について説明する。以下の説明において、「店舗」は実在する店舗を示す。
【００２３】
［決済システムの構成］
図１および図２を参照して、決済システムの構成について説明する。
図１に示されるように、決済システムは、ＥＣサイトサーバ１０と、中継端末２０と、レジ端末３０と、携帯端末４０とを含む。
【００２４】
ＥＣサイトサーバ１０と中継端末２０とは、インターネット等のネットワークＮＷ１に接続されており、ＥＣサイトサーバ１０と中継端末２０とは、相互にデータを送受信する。また、携帯端末４０もネットワークＮＷ１に接続されており、ＥＣサイトサーバ１０と携帯端末４０とは、相互にデータを送受信する。なお、ＥＣサイトサーバ１０と中継端末２０とが接続されるネットワークと、ＥＣサイトサーバ１０と携帯端末４０とが接続されるネットワークとは、互いに異なるネットワークであってもよい。
【００２５】
中継端末２０とレジ端末３０とは、ネットワークＮＷ２に接続されており、中継端末２０とレジ端末３０とは、相互にデータを送受信する。ネットワークＮＷ２は、例えば、中継端末２０とレジ端末３０とが設置される店舗内における有線または無線によるネットワークに具体化されるが、これに限らず、ネットワークＮＷ２はネットワークＮＷ１と同一のネットワークであってもよい。
【００２６】
なお、決済システムに含まれるＥＣサイトサーバ１０、中継端末２０、レジ端末３０、携帯端末４０の各々の数は、１つであってもよいし、２以上であってもよい。
ＥＣサイトサーバ１０は、ＥＣサイトを提供するサーバであって、ＥＣサイトにて販売される商品に関する情報の管理や、ＥＣサイトを通じて購入される商品の代金の決済に関する処理や、ＥＣサイトの会員に関する情報の管理等、ＥＣサイトでの商品の販売に必要な処理を行う。ＥＣサイトサーバ１０が提供するＥＣサイトは、１つのオンライショップから構成されるサイトであってもよいし、複数のオンラインショップから構成されるオンラインモール型のサイトであってもよい。決済システムでは、ＥＣサイトサーバ１０が有する機能のうち、決済に関する処理を行う機能を利用する。
【００２７】
中継端末２０は、レジ端末３０とＥＣサイトサーバ１０との間で情報の中継を行うコンピュータ端末である。中継端末２０は、店舗にて管理される端末であって、店舗ごとに設けられる。
【００２８】
レジ端末３０は、商品の販売額の計算や記録等を行うキャッシュレジスターとしての機能を有する端末である。レジ端末３０は、店舗における会計を行う箇所に設置されている。レジ端末３０は、商品に対応付けられているタグ５０が有するバーコードから情報を読み取り、また、タグ５０から読み取った情報あるいは中継端末２０から受信した情報に基づいて、商品を購入する消費者に情報を提示する。
【００２９】
店舗で販売されている商品には、上記タグ５０が付されている。タグ５０は、レジ端末３０に読み取られるタグ情報をバーコードとして保持している。なお、タグ５０は商品に直接付されていてもよいし、各商品と対応付けられた状態で、商品とは別に管理されていてもよい。
【００３０】
携帯端末４０は、消費者が店舗にその端末を所持して行くことが可能なコンピュータ端末であって、例えばスマートフォン等に具体化される。携帯端末４０は、ネットワークＮＷ１への接続機能およびＥＣサイトの閲覧機能と、レジ端末３０に表示される二次元コードから情報を読み取る機能とを有している。
【００３１】
図２を参照して、ＥＣサイトサーバ１０、中継端末２０、および、レジ端末３０の詳細な構成について説明する。
図２に示されるように、レジ端末３０は、通信部３１と、制御部３２と、記憶部３３と、入出力部３４とを備えている。
【００３２】
通信部３１は、レジ端末３０と中継端末２０との接続処理を実行し、レジ端末３０と中継端末２０との間でデータの送信および受信を行う。
入出力部３４は、外部からの情報を制御部３２にデータや信号として入力したり、制御部３２からのデータや信号を受けて外部へ情報を出力したりする入出力デバイスであって、表示部３４ａと、操作部３４ｂと、読み取り部３４ｃとを備えている。表示部３４ａは、例えばディスプレイであって、制御部３２から受けたデータに基づいて、画像を表示する。表示部３４ａは、商品を購入する消費者が視認可能な位置に設けられる。操作部３４ｂは、例えばタッチパネルやキーボードであって、店舗の店員や商品を購入する消費者によって操作される。操作部３４ｂは、操作部３４ｂに対する操作を信号に変換して制御部３２に入力する。読み取り部３４ｃは、例えばバーコードリーダーであって、商品に対応付けられているタグ５０が有するタグ情報をタグ５０から読み取る。読み取り部３４ｃは、読み取ったタグ情報をデータとして制御部３２に入力する。
【００３３】
制御部３２は、ＣＰＵを含み、記憶部３３に記憶されたプログラムやデータに基づいて、各種の演算処理やレジ端末３０の各部の制御を行う。制御部３２は、決済システムによる決済方法を実現する構成の一部として、画面データ処理部３２ａとレジ送信データ生成部３２ｂとを備えている。
【００３４】
画面データ処理部３２ａは、画面データ処理部３２ａが取得もしくは生成した画像のデータを表示部３４ａに出力して、表示部３４ａに所定の画面を表示させる。表示部３４ａに表示される画面には、販売画面とコード画面と決済完了画面とが含まれる。
【００３５】
販売画面は、購入対象である商品の内容や金額や利用可能な決済種類等が表示される画面であって、購入対象の商品を特定するとともに決済種類の選択を受付ける画面である。商品の内容には、例えば、商品の名称や色の種類やサイズ等が含まれる。決済種類としては、現金、クレジットカード、ＥＣサイトを利用した決済等、決済に用いることの可能な手段が示される。利用することの可能なＥＣサイトが複数ある場合には、販売画面には、選択可能なＥＣサイトの種類が表示される。
【００３６】
コード画面は、ＥＣサイトサーバ１０から中継端末２０を介して送信されたデータに基づく二次元コードが表示される画面である。
決済完了画面は、ＥＣサイトサーバ１０における決済処理の結果が表示される画面であって、決済完了画面には、購入対象の商品の内容や決済が行われた金額や商品を購入する店舗とともに、決済が完了したことを通知する表示が表示される。
【００３７】
画面データ処理部３２ａは、読み取り部３４ｃが読み取ったタグ情報に基づいて、中継端末２０から販売画面のデータを取得し、取得したデータを表示部３４ａに出力して、表示部３４ａに販売画面を表示させる。
【００３８】
また、画面データ処理部３２ａは、ＥＣサイトサーバ１０から中継端末２０を介して送信された二次元コードのデータに基づいてコード画面のデータを生成し、生成したデータを表示部３４ａに出力して、表示部３４ａにコード画面を表示させる。
【００３９】
また、画面データ処理部３２ａは、ＥＣサイトサーバ１０から中継端末２０を介して送信されたデータに基づいて決済完了画面のデータを生成し、生成したデータを表示部３４ａに出力して、表示部３４ａに決済完了画面を表示させる。
【００４０】
レジ送信データ生成部３２ｂは、入出力部３４から制御部３２に入力されたデータや信号に基づいて、レジ端末３０から中継端末２０に送信するデータを生成する。具体的には、レジ送信データ生成部３２ｂは、読み取り部３４ｃが読み取ったタグ情報に基づいて購入対象とされる商品を特定し、特定した購入対象の商品を示す商品情報を記憶部３３から取得する。商品情報には、商品の内容と金額とが含まれる。そして、レジ送信データ生成部３２ｂは、商品情報と、レジ端末３０の表示部３４ａに表示された販売画面にて消費者が選択した決済種類およびＥＣサイトの種類を含む決済希望情報とを含むデータを、中継端末２０に送信するデータとして生成する。購入対象の商品の特定は、画面データ処理部３２ａがタグ情報に基づいて販売画面を表示させることを通じて、販売画面のデータに基づいて行われてもよいし、タグ情報が商品の識別情報である場合にはタグ情報そのものに基づいて行われてもよい。
【００４１】
記憶部３３は、制御部３２の処理に必要なプログラムやデータを一時的あるいは永続的に記憶する。こうしたデータの一例として、記憶部３３は、店舗で販売されている各商品についての商品情報を記憶している。
【００４２】
ここで、タグ５０が有するタグ情報について説明する。
販売画面のデータは、タグ情報と対応付けられて、中継端末２０に記憶されており、レジ端末３０の画面データ処理部３２ａは、タグ５０から読み取ったタグ情報に基づいて、そのタグ情報に合致するタグ情報と対応付けられている販売画面のデータを中継端末２０から取得する。
【００４３】
例えば、中継端末２０が、各商品の販売画面のデータを、商品ごとに割り当てられた商品の識別情報と対応付けて記憶している場合には、タグ情報は商品の識別情報とされる。あるいは、タグ情報は、中継端末２０におけるその商品の販売画面のデータのアドレスを示すＵＲＬであってもよい。要は、タグ情報は、画面データ処理部３２ａがそのタグ５０に対応付けられている商品に対応する販売画面のデータを特定できる情報であって、レジ送信データ生成部３２ｂがそのタグ５０に対応付けられている商品を特定して対応する商品情報を含むデータを生成できる情報であればよい。
【００４４】
中継端末２０は、通信部２１と、制御部２２と、記憶部２３とを備えている。
通信部２１は、中継端末２０とレジ端末３０あるいはＥＣサイトサーバ１０との接続処理を実行し、中継端末２０と接続先の装置との間でデータの送信および受信を行う。
【００４５】
制御部２２は、ＣＰＵを含み、記憶部２３に記憶されたプログラムやデータに基づいて、各種の演算処理や中継端末２０の各部の制御を行う。制御部２２は、決済システムによる決済方法を実現する構成の一部として、中継送信データ生成部２２ａを備えている。
【００４６】
中継送信データ生成部２２ａは、中継端末２０がレジ端末３０から受信したデータに基づいて、中継端末２０がＥＣサイトサーバ１０へ送信するデータを生成する。具体的には、中継送信データ生成部２２ａは、レジ端末３０から受信した商品情報と、中継端末２０の記憶部２３に記憶されている店舗ＩＤおよび証明書とを含むデータを、ＥＣサイトサーバ１０へ送信するデータとして生成する。
【００４７】
また、中継送信データ生成部２２ａは、レジ端末３０から受信した決済希望情報に基づいて、データの送信先となるＥＣサイトサーバ１０を特定し、特定したＥＣサイトサーバ１０に、中継送信データ生成部２２ａが生成したデータを通信部２１を介して送信する。
【００４８】
また、中継送信データ生成部２２ａは、レジ端末３０にて販売画面や決済完了画面のデータの生成に用いられるデータとしてＥＣサイトサーバ１０から受信したデータを通信部２１を介してレジ端末３０に送信する。
【００４９】
記憶部２３は、制御部２２の処理に必要なプログラムやデータを一時的あるいは永続的に記憶する。こうしたデータの一例として、記憶部２３は、上記店舗ＩＤと証明書とを記憶している。店舗ＩＤは、店舗の識別情報であって、決済システムを利用して商品の代金についての決済を行う店舗ごとに割り当てられている。証明書は、ＥＣサイトから決済システムを利用する店舗に対して、その店舗の正当性を証明する証明書として発行された電子証明書である。記憶部３３が記憶している店舗ＩＤおよび証明書は、中継端末２０に対応する店舗の店舗ＩＤおよびその店舗に対して発行された証明書である。また、記憶部２３は、タグ情報と、そのタグ情報を有するタグ５０と対応付けられる商品についての販売画面のデータとを、対応付けて記憶している。
【００５０】
ＥＣサイトサーバ１０は、通信部１１と、制御部１２と、記憶部１３とを備えている。
通信部１１は、ＥＣサイトサーバ１０と中継端末２０あるいは携帯端末４０との接続処理を実行し、ＥＣサイトサーバ１０と接続先の装置との間でデータの送信および受信を行う。
【００５１】
制御部１２は、ＣＰＵを含み、記憶部１３に記憶されたプログラムやデータに基づいて、各種の演算処理やＥＣサイトサーバ１０の各部の制御を行う。制御部１２は、決済システムによる決済方法を実現する構成の一部として、決済処理部１２ａを備えている。
【００５２】
決済処理部１２ａは、中継端末２０から受信した店舗ＩＤおよび証明書に基づく認証を行った後、中継端末２０から受信した商品情報と店舗ＩＤとに基づいて決済情報を生成する。そして、決済処理部１２ａは、ＥＣサイトサーバ１０のアクセス先に関する情報であるログインページのＵＲＬを情報として有する二次元コードのデータを生成する。
【００５３】
ログインページは、ログイン情報の入力を受付けるページである。ログイン情報は、ＥＣサイトの会員がＥＣサイトにログインする際に必要となる認証情報であって、会員に割り当てられた識別情報である会員ＩＤやパスワード等を含む。また、決済処理部１２ａが生成したデータに基づく二次元コードから導かれるログインページは、入力されたログイン情報の認証が成功してログインが完了した後に表示されるページとして、決済処理部１２ａが生成した決済情報および記憶部１３にて会員ＩＤに対応付けられている決済手段に関する情報に基づいて生成される決済ページが設定されている。決済ページは、購入対象の商品の内容や決済の対象となる金額およびその内訳や、商品を購入する店舗、クレジットカード番号等の決済手段等の情報が表示され、消費者からの決済の承認を受付けるページである。
【００５４】
決済処理部１２ａが生成した二次元コードのデータは、ＥＣサイトサーバ１０から中継端末２０を介してレジ端末３０に送信される。レジ端末３０では、受信した二次元コードのデータに基づく二次元コードが、コード画面として表示部に表示される。そして、携帯端末４０が、コード画面から情報を読み取り、読み取ったＥＣサイトサーバ１０のアクセス先に関する情報を用いてＥＣサイトサーバ１０にアクセスすることに基づいて、携帯端末４０とＥＣサイトサーバ１０との間でデータの送受信が行われる。これによって、携帯端末４０が有する表示部へのログインページや決済ページの表示や、携帯端末４０からＥＣサイトサーバ１０へのログイン情報や決済の承認の通知の送信が行われる。
【００５５】
決済処理部１２ａは、決済ページを通じて携帯端末４０から決済の承認の通知が送信されたとき、決済を実行する処理を行って、その結果を決済完了画面の生成に用いられるデータとして、中継端末２０に通信部１１を介して送信する。
【００５６】
なお、決済処理部１２ａが行う決済処理には、上述の決済情報の生成や、決済ページ等のデータの携帯端末４０への送信や、決済実行処理等、決済が完了するまでに決済処理部１２ａが行う処理が含まれる。
【００５７】
記憶部１３は、制御部１２の処理に必要なプログラムやデータを一時的あるいは永続的に記憶する。こうしたデータの一例として、記憶部１３は、会員データと店舗データとを記憶している。
【００５８】
会員データは、ＥＣサイトの会員に関するデータであって、例えば、会員ＩＤやパスワード等の認証情報、会員の氏名やメールアドレス等の連絡先情報、決済に使用されるクレジットカード情報等の決済手段に関する情報等を含み、これらの情報が会員ごとの情報として、会員の識別情報である会員ＩＤに対応付けられているデータである。
【００５９】
店舗データは、決済システムを利用する店舗の店舗ＩＤを含むデータである。決済システムを利用する店舗としての正当性が認められて、証明書が発行された店舗の店舗ＩＤや、証明書の認証に用いられる暗号鍵等が、店舗データとして記憶部１３に記憶される。
【００６０】
また、記憶部１３は、ログインページ等のＥＣサイトを構成するページのデータを記憶している。
［商品の購入の手順］
図３〜図５を参照して、決済システムにて行われる決済の手順を含めた商品の購入の手順について説明する。
【００６１】
まず、店舗にて、購入する商品を選択した消費者は、店舗内のレジ端末３０が設置されている場所に、購入する商品を持って行く。店舗の店員は、レジ端末３０を操作して、レジ端末３０の読み取り部３４ｃを、商品に付されているタグ５０にかざす。
【００６２】
これにより、図３に示されるように、購入対象の商品に対応付けられているタグ５０のタグ情報が、レジ端末３０に読み取られる（ステップＳ１０）。
タグ情報を読み取ると、レジ端末３０の画面データ処理部３２ａは、読み取ったタグ情報に基づいて、販売画面のデータを中継端末２０に要求する（ステップＳ１１）。中継端末２０の制御部２２は、中継端末２０の記憶部２３にて、タグ情報と対応付けられている販売画面のデータを特定し、特定した販売画面のデータをレジ端末３０に送信する（ステップＳ１２）。レジ端末３０の画面データ処理部３２ａは、中継端末２０から受信した販売画面のデータを用いて、表示部３４ａに販売画面を表示させる（ステップＳ１３）。
【００６３】
レジ端末３０の表示部３４ａに販売画面が表示されると、消費者は、販売画面にて示される商品の内容や金額を確認して、決済種類を選択する。決済種類の選択は、例えば、レジ端末３０がタッチパネルを操作部３４ｂとして備える場合には、消費者が、販売画面のうちの選択したい決済種類が表示されている部分を触ることにより行われる。これにより、レジ端末３０の制御部３２に、選択された決済種類が入力される（ステップＳ１４）。なお、ＥＣサイトを利用した決済が選択された場合であって、利用可能なＥＣサイトが複数ある場合には、消費者は利用するＥＣサイトを選択し、選択されたＥＣサイトの種類がレジ端末３０の制御部３２に入力される。
【００６４】
以下では、ステップＳ１４において、ＥＣサイトを利用した決済が選択された場合について説明する。なお、ステップＳ１４において、現金やクレジットカード等、ＥＣサイトを利用した決済とは異なる決済種類が選択された場合には、店員が選択された決済種類に対応する処理を行うことによって、決済が行われる。
【００６５】
ステップＳ１４において、ＥＣサイトを利用した決済が選択された場合、レジ端末３０のレジ送信データ生成部３２ｂは、ＥＣサイトを利用した決済が選択されたことを示す情報および選択されたＥＣサイトの種類を含む決済希望情報と、タグ情報の読み取りに基づいて特定された購入対象の商品を示す商品情報とを含むデータを生成し、生成したデータを中継端末２０に送信する（ステップＳ１５）。
【００６６】
レジ端末３０からデータを受信すると、中継端末２０の中継送信データ生成部２２ａは、レジ端末３０から受信した商品情報と、中継端末２０の記憶部２３に記憶されている店舗ＩＤおよび証明書とが含まれるデータを生成する。そして、中継送信データ生成部２２ａは、レジ端末３０から受信した決済希望情報に基づいて、データの送信先となるＥＣサイトサーバ１０を特定し、特定したＥＣサイトサーバ１０に、中継送信データ生成部２２ａが生成したデータを送信する（ステップＳ１６）。
【００６７】
図４に示されるように、中継端末２０からデータを受信すると、ＥＣサイトサーバ１０の決済処理部１２ａは、中継端末２０から受信した店舗ＩＤおよび証明書に基づく認証を行う（ステップＳ１７）。決済処理部１２ａは、中継端末２０から受信した店舗ＩＤが、ＥＣサイトサーバ１０の記憶部１３が記憶している店舗データに登録されている店舗ＩＤであるか否か、および、中継端末２０から受信した証明書が、ＥＣサイトがその店舗に対して発行した証明書であるか否かを検証することにより認証を行う。店舗ＩＤが、店舗データに登録されている店舗ＩＤであって、証明書が、その店舗に対して発行された正当な証明書であるとき、認証は成功と判定される。すなわち、店舗ＩＤと証明書との正当性が確認されれば、データを送信した中継端末２０に対応する店舗が、決済システムを利用する店舗としてＥＣサイトが認めた正当な店舗であることが確認される。なお、認証が失敗した場合には、ＥＣサイトサーバ１０から中継端末２０へ認証が失敗した旨の通知が送られる。
【００６８】
認証が成功すると、決済処理部１２ａは、中継端末２０から受信した商品情報および店舗ＩＤに基づいて決済情報を生成する（ステップＳ１８）。決済情報には、商品の内容や決済の対象となる金額およびその内訳や商品が購入される店舗等の情報が含まれる。決済処理部１２ａは、生成した決済情報に決済番号を付与して、決済情報を記憶部１３に記憶させる。
【００６９】
決済情報を生成すると、決済処理部１２ａは、ログインページのＵＲＬを情報として有する二次元コードのデータを生成する（ステップＳ１９）。このログインページは、ログインが完了した後に表示されるページとして、指定された決済番号に対応する決済情報に基づいて生成される決済ページが設定されている。決済番号は、ステップＳ１８にて決済処理部１２ａが生成した決済情報に付与された決済番号が指定される。
【００７０】
二次元コードのデータを生成すると、決済処理部１２ａは、生成した二次元コードのデータを中継端末２０に送信する（ステップＳ２０）。ＥＣサイトサーバ１０から二次元コードのデータを受信すると、中継端末２０の中継送信データ生成部２２ａは、受信した二次元コードのデータをレジ端末３０に送信する（ステップＳ２１）。
【００７１】
中継端末２０から二次元コードのデータを受信すると、レジ端末３０の画面データ処理部３２ａは、受信した二次元コードのデータに基づいてコード画面のデータを生成し、生成したデータを用いて、表示部３４ａにコード画面を表示させる（ステップＳ２２）。そして、消費者が携帯端末４０を操作することにより、表示部３４ａのコード画面から、二次元コードが有する情報が携帯端末４０に読み取られる（ステップＳ２３）。
【００７２】
携帯端末４０は、コード画面から読み取った情報、すなわちＥＣサイトのログインページのＵＲＬに基づいて、ＥＣサイトサーバ１０にログインページへのアクセスを要求する（ステップＳ２４）。携帯端末４０からの要求を受けると、ＥＣサイトサーバ１０の制御部１２は、アクセスを要求されたＵＲＬに対応するログインページのデータを携帯端末４０に送信する（ステップＳ２５）。
【００７３】
図５に示されるように、ＥＣサイトサーバ１０からログインページのデータを受信すると、受信したデータに基づいて、携帯端末４０はログインページを表示する（ステップＳ２６）。消費者は、ログインページの指示に従って、ＥＣサイトの会員としての消費者に割り当てられているログイン情報を入力する。これにより、購入対象の商品を購入する消費者に対応するＥＣサイトの会員の会員ＩＤを含むログイン情報が携帯端末４０に入力される（ステップＳ２７）。ログイン情報が入力されると、携帯端末４０は、入力されたログイン情報をＥＣサイトサーバ１０に送信する（ステップＳ２８）。
【００７４】
携帯端末４０からログイン情報を受信すると、ＥＣサイトサーバ１０の決済処理部１２ａは、ログイン情報に基づいて認証を行う（ステップＳ２９）。すなわち、決済処理部１２ａは、受信したログイン情報が、ＥＣサイトサーバ１０の記憶部１３に記憶されている会員データに登録されている情報と合致するとき、消費者が正当な会員であるとして、認証を成功と判定する。認証が成功すると、決済処理部１２ａは、指定された決済番号に対応する決済情報と、受信したログイン情報における会員ＩＤと会員データにて対応付けられているクレジットカード情報とに基づいて、決済ページのデータを生成し、生成されたデータを携帯端末４０に送信する（ステップＳ３０）。なお、認証が失敗した場合には、ＥＣサイトサーバ１０から携帯端末４０へ認証が失敗した旨の通知が送られる。
【００７５】
ＥＣサイトサーバ１０から決済ページのデータを受信すると、受信したデータに基づいて、携帯端末４０は決済ページを表示する（ステップＳ３１）。消費者は、決済ページにて示される商品の内容や、商品を購入する店舗や、決済の対象となる金額や、クレジットカード番号等の決済手段を確認して、決済の承認を行う。決済の承認は、例えば、決済画面における承認ボタンの押下によって行われ、これにより、携帯端末４０に、決済を承認する旨の情報が入力される（ステップＳ３２）。
【００７６】
決済を承認する旨の情報が入力されると、携帯端末４０は決済が承認された旨の通知をＥＣサイトサーバ１０に送る（ステップＳ３３）。携帯端末４０からの通知を受けると、ＥＣサイトサーバ１０の決済処理部１２ａは、決済を実行する処理である決済実行処理として、決済ページに表示させた金額やクレジットカード番号等に従って、クレジットカード会社のサーバへのデータの送信等、所定の処理を行う（ステップＳ３４）。
【００７７】
決済実行処理が完了すると、決済処理部１２ａは決済実行処理の処理結果を、決済完了画面の生成に用いられるデータとして、中継端末２０に送信する（ステップＳ３５）。中継端末２０の中継送信データ生成部２２ａは、ＥＣサイトサーバ１０から受信したデータを、レジ端末３０に送信する（ステップＳ３６）。
【００７８】
中継端末２０からデータを受信すると、受信したデータに基づいて、レジ端末３０の画面データ処理部３２ａは、決済完了画面のデータを生成し、生成したデータを用いて、表示部３４ａに決済完了画面を表示させる（ステップＳ３７）。
【００７９】
店員は、決済完了画面の内容を確認して、決済が適切に行われたことを確認すると、商品を消費者に引き渡す。これにより、消費者による商品の購入が完了する。
［作用］  
図６を参照して、第１の実施形態の作用を説明する。
【００８０】
図６は、レジ端末３０および携帯端末４０に表示される画面の推移を中心に、消費者の視点から見た商品の購入の手順を示す図である。
図６（ａ）に示されるように、消費者が購入しようとしている商品のタグ５０がレジ端末３０に読み取られると、図６（ｂ）に示されるように、レジ端末３０に販売画面が表示される。消費者は、販売画面にて、決済種類の中からＥＣサイトを利用した決済を選択し、ＥＣサイトの種類の中から利用したいＥＣサイトを選択する。これにより、レジ端末３０から中継端末２０を経由してＥＣサイトサーバ１０に商品情報等が送られて、ＥＣサイトサーバ１０にて決済情報が生成される。そして、決済情報と対応付けられているログインページのＵＲＬが、二次元コードのデータとしてＥＣサイトサーバ１０から中継端末２０を経由してレジ端末３０に送信され、図６（ｃ）に示されるように、レジ端末３０にコード画面が表示される。
【００８１】
消費者が携帯端末４０にコード画面の二次元コードを読み取らせることに基づいて、図６（ｄ）に示されるように、携帯端末４０にはＥＣサイトのログインページが表示される。消費者がログインページにログイン情報を入力すると、入力された情報がＥＣサイトサーバ１０に送信され、ＥＣサイトサーバ１０で認証が行われる。認証が成功すると、ＥＣサイトサーバ１０から携帯端末４０に決済ページのデータが送信され、図６（ｅ）に示されるように、携帯端末４０には決済ページが表示される。
【００８２】
消費者が決済ページの内容を確認して決済の承認を行うと、その情報が携帯端末４０からＥＣサイトサーバ１０に送られて、ＥＣサイトサーバ１０で決済の実行が行われる。決済の実行が完了すると、その結果がＥＣサイトサーバ１０から中継端末２０を介してレジ端末３０に通知され、図６（ｆ）に示されるように、レジ端末３０には決済完了画面が表示される。
【００８３】
店員は、決済完了画面を確認すると、図６（ｇ）に示されるように、商品を消費者に引き渡す。
このように、第１の実施形態では、消費者が実在する店舗にて商品を購入するときに、ＥＣサイトサーバ１０に記憶されている決済手段に関する情報が用いられて、決済処理が行われる。この決済手段は、実在する店舗にて商品を購入しようとしている消費者が、ＥＣサイトの会員として、ＥＣサイトにて販売されている任意の商品をＥＣサイトを通じて購入する際に用いられる決済手段である。したがって、予めＥＣサイトサーバ１０に登録されている情報が有効に活用され、現金やクレジットカード等を所持せずとも、消費者が実在する店舗にて商品やサービスを購入することが可能となるため、実在する店舗での決済に関する利便性を高めることができる。
【００８４】
また、ＥＣサイトサーバ１０の記憶部１３に決済処理の結果が蓄積されれば、消費者は、ＥＣサイトでの商品の購入結果と実在する店舗での商品の購入結果とをまとめて管理することも可能となる。さらに、店舗の運営者も、ＥＣサイトサーバ１０に蓄積された決済処理の結果を用いて、店舗における商品の販売結果を管理することができる。
【００８５】
なお、第１の実施形態では、ＥＣサイトサーバ１０における決済情報の生成に必要な情報のうちの商品に関する情報、すなわち商品の内容や金額が、商品情報としてレジ端末３０から中継端末２０を経由してＥＣサイトサーバ１０に送信される。そのため、購入対象の商品は、ＥＣサイトにて販売されている商品に限られず、ＥＣサイトにて販売されていない商品であってもよい。
【００８６】
なお、第１の実施形態では、中継端末２０が第１の送信端末として機能し、レジ端末３０が情報取得端末および受信端末として機能し、携帯端末４０が第２の送信端末として機能する。
【００８７】
以上説明したように、第１の実施形態によれば、以下の効果が得られる。
（１）消費者が実在する店舗にて商品を購入するときに、ＥＣサイトサーバ１０に記憶されている決済手段に関する情報が用いられて決済処理が行われるため、実在する店舗での決済において消費者の利便性を高めることができる。また、ＥＣサイトサーバ１０における決済処理の結果が、店舗内に位置するレジ端末３０に通知されるため、決済処理の結果の確認や、商品の引き渡しが円滑に進められる。
【００８８】
（２）商品に対応付けられているタグ５０からレジ端末３０が読み取ったタグ情報に基づいて、レジ端末３０にて購入対象の商品が特定される。したがって、商品ごとのコードがレジ端末３０に入力されるような形態と比較して、購入対象の特定が円滑に行われる。
【００８９】
（３）レジ端末３０およびＥＣサイトサーバ１０のそれぞれとネットワークを介して接続される中継端末２０が、レジ端末３０とＥＣサイトサーバ１０との間で情報を中継する。したがって、レジ端末３０とＥＣサイトサーバ１０との間での商品情報等の授受に際して、レジ端末３０の画面から携帯端末４０が情報を読み取るような情報の受け渡しが介在する形態と比較して、情報の受け渡しが円滑に行われる。
【００９０】
（４）ＥＣサイトサーバ１０に対する情報の送信が、中継端末２０による商品情報を含む情報の送信と、携帯端末４０によるログイン情報等の送信とに分けられる。すなわち、ＥＣサイトサーバ１０に対する情報の送信が、互いに異なる端末によって行われる。したがって、これらの情報の送信が同一の端末によって行われる場合と比較して、機能の分散による各端末の構成の簡素化と、１つの端末あたりの通信量の削減が図られる。また、個人情報の一種であるログイン情報が、携帯端末４０に入力されて、携帯端末４０からＥＣサイトサーバ１０に送信されるため、ログイン情報がレジ端末３０等の公衆に利用可能な端末に入力される場合と比較して、ログイン情報の漏えいを抑えることができる。
【００９１】
（５）決済処理が進められる際に、証明書の正当性の確認が行われるため、決済処理の信頼性を高めることができる。
（第２の実施形態）
図７〜図１０を参照して、決済システム、および、決済方法の第２の実施形態について説明する。以下では、第１の実施形態との相違点を中心に説明し、第１の実施形態と同様の構成については同じ符号を付してその説明を省略する。なお、第２の実施形態においても、例として、ＥＣサイトの会員である消費者が、実在する店舗で商品を購入する場合について説明する。
【００９２】
［決済システムの構成］
図７および図８を参照して、決済システムの構成について説明する。
図７に示されるように、決済システムは、ＥＣサイトサーバ１０と、レジ端末３０と、携帯端末４０とを含む。第１の実施形態と比較して、第２の実施形態の決済システムからは、中継端末が割愛されている。
【００９３】
図８を参照して、レジ端末３０とＥＣサイトサーバ１０が有する構成および機能のうち、第１の実施形態と異なる構成および機能について説明する。
レジ端末３０の記憶部３３は、販売画面のデータをタグ情報と対応付けて記憶している。また、記憶部３３は、レジ端末３０が設置されている店舗に割り当てられた店舗ＩＤと、その店舗に対してＥＣサイトが発行した証明書とを記憶している。さらに、記憶部３３は、ＥＣサイトのログインページのＵＲＬを記憶している。
【００９４】
レジ端末３０の画面データ処理部３２ａは、タグ５０から読み取ったタグ情報に基づいて、そのタグ情報に合致するタグ情報と対応付けられている販売画面のデータを記憶部３３から取得する。そして、画面データ処理部３２ａは、取得したデータを表示部３４ａに出力して、表示部３４ａに販売画面を表示させる。
【００９５】
また、画面データ処理部３２ａは、タグ情報に基づいて購入対象とされる商品を特定し、特定した購入対象の商品を示す商品情報、店舗ＩＤ、証明書、および、ＥＣサイトのログインページのＵＲＬを記憶部３３から取得して、これらの情報を有する二次元コードが表示されるコード画面のデータを生成する。そして、画面データ処理部３２ａは、生成したデータを表示部３４ａに出力して、表示部３４ａにコード画面を表示させる。コード画面にて二次元コードが有する情報は、携帯端末４０によって読み取られる。ログインページのＵＲＬは、ＥＣサイトサーバ１０のアクセス先に関する情報として、携帯端末４０がＥＣサイトサーバ１０にアクセスする際に用いられる。商品情報、店舗ＩＤ、および、証明書は、携帯端末４０がＥＣサイトサーバ１０にアクセスすることに基づいて、携帯端末４０からＥＣサイトサーバに送信される。また、携帯端末４０がＥＣサイトサーバ１０にアクセスすることに基づいて、ログイン情報も、携帯端末４０からＥＣサイトサーバに送信される。
【００９６】
なお、第２の実施形態では、レジ端末３０において、レジ送信データ生成部は割愛されている。
ＥＣサイトサーバ１０の決済処理部１２ａは、携帯端末４０から受信したログイン情報の認証と店舗ＩＤおよび証明書の認証とを行った後、携帯端末４０から受信した商品情報および店舗ＩＤと、ＥＣサイトサーバ１０の記憶部１３の会員データにて会員ＩＤと対応付けられているクレジットカード情報とに基づいて決済情報を生成する。そして、決済処理部１２ａは、生成した決済情報に基づいて生成される決済ページのデータを携帯端末４０に通信部１１を介して送信する。決済ページを通じて携帯端末４０から決済の承認が送信されたとき、決済処理部１２ａは、決済実行処理を行ってその結果を携帯端末４０にメールで通知する。
【００９７】
［商品の購入の手順］
図９を参照して、決済システムにて行われる決済の手順を含めた商品の購入の手順について説明する。
【００９８】
まず、店舗にて、購入する商品を選択した消費者は、店舗内のレジ端末３０が設置されている場所に、購入する商品を持って行く。店舗の店員は、レジ端末３０を操作して、レジ端末３０の読み取り部３４ｃを、商品に付されているタグ５０にかざす。これにより、図９に示されるように、購入対象の商品に対応付けられているタグ５０のタグ情報が、レジ端末３０に読み取られる（ステップＳ４０）。
【００９９】
タグ情報を読み取ると、レジ端末３０の画面データ処理部３２ａは、読み取ったタグ情報に基づいて、販売画面のデータをレジ端末３０の記憶部３３から取得し、取得した販売画面のデータを用いて、表示部３４ａに販売画面を表示させる（ステップＳ４１）。
【０１００】
レジ端末３０の表示部３４ａに販売画面が表示されると、消費者は、販売画面にて示される商品の内容や金額を確認して、決済種類や利用するＥＣサイトを選択する。これにより、レジ端末３０の制御部３２に、選択された決済種類やＥＣサイトの種類が入力される（ステップＳ４２）。
【０１０１】
決済種類としてＥＣサイトを利用した決済が選択されると、レジ端末３０の画面データ処理部３２ａは、タグ情報の読み取りに基づいて特定された購入対象の商品を示す商品情報と、レジ端末３０の記憶部３３に記憶されている店舗ＩＤ、証明書、および、ＥＣサイトのログインページのＵＲＬとを情報として有する二次元コードが表示されるコード画面のデータを生成する。なお、ＥＣサイトのログインページのＵＲＬは、販売画面にて選択されたＥＣサイトの種類に対応するＥＣサイトのログインページのＵＲＬとされる。そして、画面データ処理部３２ａは、生成したデータを表示部３４ａに出力して、表示部３４ａにコード画面を表示させる（ステップＳ４３）。
【０１０２】
コード画面が表示されると、消費者が携帯端末４０を操作することにより、表示部３４ａのコード画面から、二次元コードが有する情報、すなわち、商品情報、店舗ＩＤ、証明書、および、ＥＣサイトのログインページのＵＲＬが携帯端末４０に読み取られる（ステップＳ４４）。
【０１０３】
携帯端末４０は、コード画面の二次元コードから読み取った情報のうち、ＥＣサイトのログインページのＵＲＬに基づいて、ＥＣサイトサーバ１０にログインページへのアクセスを要求する（ステップＳ４５）。携帯端末４０からの要求を受けると、ＥＣサイトサーバ１０の制御部１２は、アクセスを要求されたＵＲＬに対応するログインページのデータを携帯端末４０に送信する（ステップＳ４６）。ＥＣサイトサーバ１０からログインページのデータを受信すると、受信したデータに基づいて、携帯端末４０はログインページを表示する（ステップＳ４７）。
【０１０４】
消費者は、ログインページの指示に従って、ＥＣサイトの会員としての消費者に割り当てられているログイン情報を入力する。これにより、ログイン情報が携帯端末４０に入力される（ステップＳ４８）。ログイン情報が入力されると、携帯端末４０は、入力されたログイン情報とともに、コード画面の二次元コードから読み取った商品情報、店舗ＩＤ、および、証明書をＥＣサイトサーバ１０に送信する（ステップＳ４９）。
【０１０５】
携帯端末４０からデータを受信すると、ＥＣサイトサーバ１０の決済処理部１２ａは、受信したログイン情報に基づいて認証を行う（ステップＳ５０）。認証が成功すると、決済処理部１２ａは、携帯端末４０から受信した店舗ＩＤおよび証明書に基づく認証を行う（ステップＳ５１）。
【０１０６】
店舗ＩＤおよび証明書の認証が成功すると、決済処理部１２ａは、携帯端末４０から受信した商品情報および店舗ＩＤと、ＥＣサイトサーバ１０の記憶部１３に記憶されている会員データとに基づいて決済情報を生成する（ステップＳ５２）。すなわち、決済処理部１２ａは、商品情報に含まれる商品の内容および金額と、携帯端末４０から受信した店舗ＩＤと、携帯端末４０から受信したログイン情報における会員ＩＤと会員データにて対応付けられているクレジットカード情報とに基づいて、決済情報を生成する。決済情報には、商品の内容や決済の対象となる金額およびその内訳や商品が購入される店舗や使用されるクレジットカードの情報等の情報が含まれる。決済情報が生成されると、決済処理部１２ａは、生成した決済情報に決済番号を付与して、決済情報を記憶部１３に記憶させる。そして、決済処理部１２ａは、その決済番号に対応する決済情報から生成される決済ページのデータを携帯端末４０に送信する（ステップＳ５３）。なお、ログイン情報の認証や店舗ＩＤおよび証明書の認証が失敗した場合には、ＥＣサイトサーバ１０から携帯端末４０へ認証が失敗した旨の通知が送られる。
【０１０７】
ＥＣサイトサーバ１０から決済ページのデータを受信すると、受信したデータに基づいて、携帯端末４０は決済ページを表示する（ステップＳ５４）。消費者は、決済ページにて示される商品の内容や、商品を購入する店舗や、決済の対象となる金額や、クレジットカード番号等の決済手段を確認して、決済の承認を行う。これにより、携帯端末４０に、決済を承認する旨の情報が入力される（ステップＳ５５）。
【０１０８】
決済を承認する旨の情報が入力されると、携帯端末４０は決済が承認された旨の通知をＥＣサイトサーバ１０に送る（ステップＳ５６）。携帯端末４０からの通知を受けると、ＥＣサイトサーバ１０の決済処理部１２ａは、決済実行処理として、クレジットカード会社のサーバへのデータの送信等、所定の処理を行う（ステップＳ５７）。
【０１０９】
決済実行処理が完了すると、決済処理部１２ａは決済実行処理の処理結果が記載された完了通知メールを、携帯端末４０から受信したログイン情報における会員ＩＤと対応付けられて会員データに登録されているメールアドレスに送信する（ステップＳ５８）。なお、会員データに登録されるメールアドレスは、携帯端末４０にて受信可能なメールアドレスであることを要する。完了通知メールには、購入対象の商品の内容や決済が行われた金額や商品を購入する店舗とともに、決済が完了したことを通知する内容が記載されている。
【０１１０】
その結果、携帯端末４０は、完了通知メールを受信する（ステップＳ５９）。消費者は、完了通知メールを開封し、完了通知メールが表示された携帯端末４０を、店員に提示する。店員は、完了通知メールの内容を確認して、決済が適切に行われたことを確認すると、商品を消費者に引き渡す。これにより、消費者による商品の購入が完了する。
【０１１１】
［作用］  
図１０を参照して、第２の実施形態の作用を説明する。
図１０は、レジ端末３０および携帯端末４０に表示される画面の推移を中心に、消費者の視点から見た商品の購入の手順を示す図である。
【０１１２】
図１０（ａ）に示されるように、消費者が購入しようとしている商品のタグ５０がレジ端末３０に読み取られると、図１０（ｂ）に示されるように、レジ端末３０に販売画面が表示される。消費者は、販売画面にて、決済種類の中からＥＣサイトを利用した決済を選択し、ＥＣサイトの種類の中から利用したいＥＣサイトを選択する。その結果、レジ端末３０が、商品情報やＥＣサイトのログインページのＵＲＬ等を含む情報を有する二次元コードのデータを生成し、図１０（ｃ）に示されるように、レジ端末３０にコード画面が表示される。
【０１１３】
消費者が携帯端末４０にコード画面の二次元コードを読み取らせることに基づいて、図１０（ｄ）に示されるように、携帯端末４０にはＥＣサイトのログインページが表示される。消費者がログインページにログイン情報を入力すると、ログイン情報とともに商品情報等がＥＣサイトサーバ１０に送信され、ＥＣサイトサーバ１０で認証と決済情報の生成が行われる。そして、ＥＣサイトサーバ１０から携帯端末４０に決済ページのデータが送信され、図１０（ｅ）に示されるように、携帯端末４０には決済ページが表示される。
【０１１４】
消費者が決済ページの内容を確認して決済の承認を行うと、その情報が携帯端末４０からＥＣサイトサーバ１０に送られて、ＥＣサイトサーバ１０で決済の実行が行われる。決済の実行が完了すると、ＥＣサイトサーバ１０から携帯端末４０に完了通知メールが送信され、図１０（ｆ）に示されるように、携帯端末４０は完了通知メールを受信する。
【０１１５】
消費者が完了通知メールを店員に示すと、店員は、完了通知メールを確認して、図１０（ｇ）に示されるように、商品を消費者に引き渡す。
このように、第２の実施形態でも、消費者が実在する店舗にて商品を購入するときに、その消費者がＥＣサイトの会員としてＥＣサイトを通じて商品を購入する際に用いられる決済手段であって、ＥＣサイトサーバ１０に記憶されている決済手段に関する情報が用いられて、決済処理が行われる。したがって、実在する店舗での決済において消費者の利便性を高めることができる。
【０１１６】
なお、第２の実施形態においても、購入対象の商品は、ＥＣサイトにて販売されている商品に限られず、ＥＣサイトにて販売されていない商品であってもよい。
なお、第２の実施形態では、レジ端末３０が情報取得端末として機能し、携帯端末４０が第１の送信端末、第２の送信端末、および、受信端末として機能する。
【０１１７】
以上説明したように、第２の実施形態によれば、第１の実施形態の（１）、（２）、（５）の効果に加えて、以下の効果が得られる。
（６）ＥＣサイトサーバ１０に対する情報の送信が、携帯端末４０のみによって行われるため、こうした情報の送信が第１の実施形態のように携帯端末４０と中継端末２０とによって分けて行われる形態と比較して、決済システムの構成として必要な端末を削減することができる。また、商品情報やログイン情報等の情報が、ＥＣサイトサーバ１０に対してまとめて送信されるため、ＥＣサイトサーバ１０にてこれらの情報をまとめて処理することが可能であり、処理の効率化が図られる。
【０１１８】
（変形例）
上記各実施形態は、以下のように変更して実施することが可能である。
［第１の実施形態の変形例］
・第１の実施形態において、第２の実施形態のように、ＥＣサイトサーバ１０における決済実行処理の完了が、メールによって携帯端末４０に対して通知されてもよい。また、決済実行処理の完了がウェブページのデータとしてＥＣサイトサーバ１０から携帯端末４０に送信され、携帯端末４０に決済実行処理の完了を通知するページが表示されてもよい。これらの場合、携帯端末４０が、受信端末として機能する。
【０１１９】
・第１の実施形態において、第２の実施形態のように、販売画面のデータはレジ端末３０に記憶されていてもよい。また、店舗ＩＤおよび証明書がレジ端末３０に記憶されており、商品情報等とともにレジ端末３０から中継端末２０に送信されてもよい。すなわち、中継端末２０はレジ端末３０とＥＣサイトサーバ１０との間で情報の中継のみを行う装置であってもよい。
【０１２０】
・第１の実施形態において、複数の店舗に設置されているレジ端末３０のすべてが、ネットワークＮＷ２を介して１つの中継端末２０に接続されていてもよい。すなわち、中継端末２０は店舗ごとに設けられていなくてもよい。この場合、店舗ＩＤおよび証明書は、レジ端末３０から中継端末２０に送信されてもよいし、中継端末２０にて、商品情報を送信してきたレジ端末３０がどの店舗のレジ端末３０であるかを判定して、該当する店舗の店舗ＩＤと証明書とを商品情報とともにＥＣサイトサーバ１０に送信してもよい。
【０１２１】
・第１の実施形態において、レジ端末３０の有する機能と中継端末２０の有する機能とが１つの装置によって実現されてもよい。
・第１の実施形態において、ＥＣサイトサーバ１０から中継端末２０を介してレジ端末３０へ、二次元コードのデータに代えて、ログインページのデータが送信され、レジ端末３０の表示部３４ａにＥＣサイトのログインページが表示されてもよい。この場合、消費者は、レジ端末３０に対してログイン情報の入力を行うことにより、レジ端末３０から中継端末２０を介してＥＣサイトサーバ１０にログイン情報が送信される。さらに、決済ページのデータも、ＥＣサイトサーバ１０から中継端末２０を介してレジ端末３０へ送信されて、レジ端末３０の表示部３４ａに決済ページが表示され、レジ端末３０に対して入力された決済の承認が中継端末２０を介してＥＣサイトサーバ１０に送られる。こうした態様によれば、携帯端末４０を用いずに、決済システムが実現できる。上記形態においては、中継端末２０が第１の送信端末および第２の送信端末として機能し、レジ端末３０が情報取得端末および受信端末として機能する。
【０１２２】
また、上記のように、携帯端末４０が用いられず、中継端末２０が第１の送信端末および第２の送信端末として機能する場合には、販売画面にて決済種類の選択とともにログイン情報の入力が行われ、商品情報等とともにログイン情報が中継端末２０からＥＣサイトサーバ１０に送信されてもよい。
【０１２３】
［第２の実施形態の変形例］
・第２の実施形態において、ＥＣサイトサーバ１０における決済実行処理の完了が、ウェブページのデータとして携帯端末４０に送信され、携帯端末４０に決済実行処理の完了を通知するページが表示されてもよい。
【０１２４】
・第２の実施形態において、タグ５０が、タグ情報として、商品情報、店舗ＩＤ、証明書、および、ＥＣサイトのログインページのＵＲＬを有し、携帯端末４０がタグ５０からタグ情報を読み取ることによって、これらの情報を携帯端末４０が取得してもよい。そして、携帯端末４０が上記情報を取得した後、先の図９に示されるステップＳ４５以降の処理が行われることにより、決済が行われてもよい。これによれば、携帯端末４０とＥＣサイトサーバ１０のみによって決済システムが実現できる。上記形態においては、携帯端末４０が第１の送信端末、第２の送信端末、受信端末、および、情報取得端末として機能する。
【０１２５】
［第１および第２の実施形態の変形例］
・タグ５０は、バーコードに限らず、レジ端末３０によって読み取り可能な態様でタグ情報を保持していればよい。例えば、タグ５０は、二次元コードやＩＣタグとしてタグ情報を保持し、レジ端末３０の読み取り部３４ｃは、タグ５０の情報の保持方式に応じた情報の読み取り機能を有していてもよい。
【０１２６】
・レジ端末３０の表示部３４ａに表示されるコード画面は、二次元コードに限らず、例えばバーコード等、携帯端末４０によって読み取り可能な態様で情報を保持するコードが表示されればよい。また、レジ端末３０から携帯端末４０への情報の受け渡しは、携帯端末４０によるコード画面の読み取りに限らず、例えば、ログインページのＵＲＬそのものがレジ端末３０の表示部３４ａに表示されて、消費者が表示されたＵＲＬを携帯端末４０に入力することによって行われてもよいし、非接触通信を利用して携帯端末４０がレジ端末３０から情報を取得することによって行われてもよい。
【０１２７】
・複数の商品の決済処理がまとめて行われてもよい。この場合、例えば、タグ情報と商品の内容や金額等のデータとが対応付けられたデータがレジ端末３０に記憶されている。そして、複数の商品の各々に対応付けられているタグ５０から読み取られた複数のタグ情報に基づいて、レジ端末３０にてこれらのタグ情報に対応付けられている商品の内容や金額等のデータを用いて販売画面のデータが生成され、販売画面がレジ端末３０の表示部３４ａに表示される。要は、タグ情報に対応付けられるデータは、各商品に固有のデータであれば、販売画面のデータであっても、商品の内容や金額のデータであってもよく、タグ情報に基づいて、販売画面の表示および購入対象の商品の特定が可能であればよい。
【０１２８】
・販売画面には、決済種類としてＥＣサイトを利用した決済のみが示されてもよい。例えば、ＥＣサイト上のオンラインショップとしてのみ商品を販売している店舗が、実在する店舗を設ける場合に、この決済システムを利用すれば、現金やクレジットカードの提示による決済を可能とするための設備の整備が不要となるため、実在する店舗の開設にあたっての負荷が軽減される。こうした場合には、レジ端末３０は、キャッシュレジスターとしての機能を有さず、決済システムに用いられる機能のみを有する端末であってもよい。
【０１２９】
・実在する店舗にて販売される対象であれば、購入対象は、商品に限らずサービスであってもよい。購入対象がサービスの場合、タグ５０はサービスと対応付けられる。そして、消費者が、購入しようとするサービスと対応付けられているタグ５０をレジ端末３０が設置されている場所に持って行き、あるいは、消費者からサービスの購入の意思が示されたとき、店員がそのサービスに対応付けられているタグ５０を選び、タグ５０がレジ端末３０に読み取られる。決済処理の完了が決済完了画面や完了通知メールによって確認されると、消費者に対してサービスが提供されるか、あるいは、サービスに引き換えられるチケット等が引き渡される。
【０１３０】
・中継端末２０あるいは携帯端末４０からＥＣサイトサーバ１０に送信される購入対象に関する情報としての商品情報は、ＥＣサイトサーバ１０における決済情報の生成に必要な情報であればよい。上記各実施形態のように、ＥＣサイトサーバ１０による決済情報の生成に、ＥＣサイトサーバ１０に記憶されている商品に関するデータが用いられない場合や、購入対象の内容や金額等の情報がＥＣサイトサーバ１０に記憶されていない場合には、商品情報は購入対象の内容や金額を含む情報とされる。あるいは、例えば店舗にて販売されている商品やサービスの種類が限定されている場合等、決済ページ等での商品の内容の確認が不要な場合には、商品情報は購入対象の金額のみを含む情報とされてもよい。一方、例えば、購入対象がＥＣサイトにて販売されている商品である場合のように、購入対象の内容や金額等の情報がＥＣサイトサーバ１０に記憶されている場合には、決済情報の生成に、ＥＣサイトサーバ１０に記憶されている情報が用いられてもよい。この場合、商品情報は、ＥＣサイトサーバ１０にて購入対象の内容や金額を特定可能な識別情報とされる。
【０１３１】
こうした商品情報は、上記各実施形態のように、タグ５０が有するタグ情報と対応付けられてレジ端末３０に記憶されていてもよいし、あるいは、特に商品情報が識別情報である場合にはタグ情報が商品情報であってもよい。また、中継端末２０からＥＣサイトサーバ１０へ商品情報が送信される場合には、商品情報は中継端末２０に記憶されてもよい。この場合、レジ端末３０から、タグ情報に基づいて特定された購入対象を示す情報が中継端末２０に送信され、中継端末２０は、受信した情報に基づいて、購入対象の商品に対応する商品情報を特定する。要は、レジ端末３０にて、タグ情報に基づいて購入対象が特定され、この購入対象の特定に基づいて直接的あるいは間接的に商品情報が特定されて、特定された商品情報がＥＣサイトサーバ１０に送信されて決済情報の生成に用いられる態様であれば、商品情報に含まれる内容や、商品情報の記憶されている装置や、商品情報の特定方法は限定されない。
【０１３２】
・レジ端末３０における購入対象の特定は、タグ５０からのタグ情報の読み取りに限らず、例えば、レジ端末３０に表示される画面上にて消費者または店員が購入対象の商品を選択することに基づいて行われてもよい。この場合、どの購入対象が選択されたかを示す情報がレジ端末３０の制御部３２に入力され、レジ端末３０の制御部３２は、入力された情報に基づいて、購入対象を特定し、販売画面のデータをレジ端末３０の記憶部３３あるいは中継端末２０から取得する。こうした態様によれば、タグ５０が不要となるため、飲食物やサービス等が購入される際には特に、その購入の手順が簡素化される。
【０１３３】
・ＥＣサイトサーバ１０での証明書に基づく認証は、決済システムによる決済の信頼性を高めることができるが、証明書に基づく認証が行われなくても、決済システムによる決済を実現することはできる。この場合、ＥＣサイトによる証明書の発行や、中継端末２０やレジ端末３０による証明書の記憶や、ＥＣサイトサーバ１０での証明書に基づく認証が不要となるため、決済システムの構成や決済の手順が簡易になる。
【０１３４】
・ＥＣサイトサーバ１０が決済処理に用いる決済手段は、クレジットカードに限らず、ＥＣサイトの会員がＥＣサイトにて販売されている任意の商品をＥＣサイトを通じて購入する際に用いられる決済手段に関する情報として、ＥＣサイトサーバ１０に記憶されている情報に基づく決済手段であればよい。例えば、決済手段として、デビットカードや銀行口座を利用したインターネット決済等が用いられてもよいし、これらの決済手段について消費者の選択を受付けてもよい。
【符号の説明】
【０１３５】
１０…ＥＣサイトサーバ、１１…通信部、１２…制御部、１２ａ…決済処理部、１３…記憶部、２０…中継端末、２１…通信部、２２…制御部、２２ａ…中継データ送信部    、２３…記憶部、３０…レジ端末、３１…通信部、３２…制御部、３２ａ…画面データ処理部、３２ｂ…レジ送信データ生成部、３３…記憶部、４０…携帯端末、５０…タグ    、ＮＷ１，ＮＷ２…ネットワーク。
【図１】
2015122009.tif 000003
【図２】
2015122009.tif 000004
【図３】
2015122009.tif 000005
【図４】
2015122009.tif 000006
【図５】
2015122009.tif 000007
【図６】
2015122009.tif 000008
【図７】
2015122009.tif 000009
【図８】
2015122009.tif 000010
【図９】
2015122009.tif 000011
【図１０】
2015122009.tif 000012